(57)【要約】【課題】時間の経過に伴い変動した被験者の活動情報を検知し、変動した活動情報に基づいてコメントを的確に生成するシステムを提供する。【解決手段】行動変容解析システム１は、被験者Ｐの活動情報を取得する検出部２０と、所定期間分の活動情報を解析した解析情報を生成する解析部４５と、少なくとも１つの所定期間を含む第１の期間における活動情報を解析して生成された第１解析情報と、少なくとも第１の期間とは異なる所定期間を含む第２の期間における活動情報を解析して生成された第２解析情報と、に基づいて、被験者Ｐの行動変容を示す行動変容情報を生成する行動変容情報生成部４６と、を備える。【選択図】図２
2017097401.tif 000002
【特許請求の範囲】
【請求項１】
被験者の活動情報を取得する活動情報取得部と、
所定期間分の前記活動情報を解析した解析情報を生成する解析情報生成部と、
少なくとも１つの前記所定期間を含む第１の期間における前記活動情報を解析して生成された第１解析情報と、少なくとも前記第１の期間とは異なる前記所定期間を含む第２の期間における前記活動情報を解析して生成された第２解析情報と、に基づいて、前記被験者の行動変容を示す行動変容情報を生成する行動変容情報生成部と、を備えることを特徴とする行動変容解析システム。
【請求項２】
請求項１に記載の行動変容解析システムにおいて、
前記解析情報は、前記所定期間における、歩数、運動量、運動時間および消費カロリーのうち少なくとも１つを含む活動量を１週間における曜日、または、１日における時間帯の少なくともいずれかに応じて集計した指標であることを特徴とする行動変容解析システム。
【請求項３】
請求項２に記載の行動変容解析システムにおいて、
前記解析情報は、前記指標に基づいて推測された前記被験者の行動パターンを含むことを特徴とする行動変容解析システム。
【請求項４】
請求項１乃至３のいずれか１項に記載の行動変容解析システムにおいて、
前記行動変容情報は、前記第１解析情報と、前記第２解析情報と、の差異を示す差異情報を含むことを特徴とする行動変容解析システム。
【請求項５】
請求項４に記載の行動変容解析システムにおいて、
前記差異情報は、前記第１解析情報および前記第２解析情報における、前記歩数、前記運動量、前記運動時間または前記消費カロリーの変化量を示すことを特徴とする行動変容解析システム。
【請求項６】
請求項１乃至５のいずれか１項に記載の行動変容解析システムにおいて、
前記行動変容情報に基づいて、前記被験者の前記行動変容に関するテキスト情報や、前記被験者の前記行動変容を示すグラフを出力する出力部を備えることを特徴とする行動変容解析システム。
【請求項７】
請求項１乃至６のいずれか１項に記載の行動変容解析システムにおいて、
前記行動変容情報に基づいて、前記被験者の前記行動変容を報知する報知部を備えることを特徴とする行動変容解析システム。
【請求項８】
請求項１乃至７のいずれか１項に記載の行動変容解析システムにおいて、
前記行動変容情報に基づいて、コメント情報を生成するコメント生成部を備えることを特徴とする行動変容解析システム。
【請求項９】
請求項８に記載の行動変容解析システムにおいて、
前記コメント生成部は、前記被験者の前記行動変容が生じた要因を前記行動変容情報に基づいて推定し、推定結果に基づいて前記コメント情報を生成することを特徴とする行動変容解析システム。
【請求項１０】
請求項１乃至９のいずれか１項に記載の行動変容解析システムにおいて、
前記被験者の生体情報を取得する生体情報取得部を備え、
前記解析情報生成部は、前記生体情報を解析することにより前記解析情報を生成することを特徴とする行動変容解析システム。
【請求項１１】
請求項１０に記載の行動変容解析システムにおいて、
前記解析情報生成部は、前記活動情報に基づいて前記被験者の移動時におけるピッチを算出し、前記生体情報に基づいて前記被験者の心拍数を算出し、前記ピッチおよび前記心拍数に基づいて前記被験者の活動時間の累計を示す前記解析情報を生成することを特徴とする行動変容解析システム。
【請求項１２】
被験者の活動情報を取得し、
所定期間分の前記活動情報を解析した解析情報を生成し、
少なくとも１つの前記所定期間を含む第１の期間における前記活動情報を解析して生成された第１解析情報と、少なくとも前記第１の期間とは異なる前記所定期間を含む第２の期間における前記活動情報を解析して生成された第２解析情報と、に基づいて、前記被験者の行動変容を示す行動変容情報を生成することを特徴とする行動変容解析方法。
【請求項１３】
被験者の活動情報を取得する機能と、
所定期間分の前記活動情報を所定期間に応じて解析した解析情報を生成する機能と、
少なくとも１つの前記所定期間を含む第１の期間における前記活動情報を解析して生成された第１解析情報と、少なくとも前記第１の期間とは異なる前記所定期間を含む第２の期間における前記活動情報を解析して生成された第２解析情報と、に基づいて、前記被験者の行動変容を示す行動変容情報を生成する機能と、をコンピューターに実行させることを特徴とする行動変容解析プログラム。
【発明の詳細な説明】
【技術分野】
【０００１】
本発明は、行動変容解析システム、行動変容解析方法および行動変容解析プログラムに関する。
【背景技術】
【０００２】
被験者が利用するバイタル計測装置から得られた健康管理データを分析し、分析情報に対応付けられたコメント情報を被験者に通知するアドバイス提供システムが知られている。
例えば、下記特許文献１では、バイタル計測装置が計測した健康管理データと、予め設定した健康管理データの基準値と、を比較し、比較結果に基づいて健康管理データの異常を検知し、検知した健康管理データに対応付けられたコメント情報テーブルを用いて端末装置にアドバイスを送信するシステムが開示されている。
【先行技術文献】
【特許文献】
【０００３】
【特許文献１】特開２０１１−２４６７７号公報
【発明の概要】
【発明が解決しようとする課題】
【０００４】
しかしながら、従来のアドバイス提供システムでは、計測した健康管理データと、健康管理データの基準値と、の比較に基づいてアドバイスを生成するため、健康管理データが計測された時点での基準値との差分は検知できるが、時間経過に従い被験者の行動パターンが変化した場合、その変化により生じた健康管理データの変動を検知できなかった。換言すると、従来のアドバイス提供システムでは、被験者の生活リズムの変化を検知できなかった。
本発明は、上述の課題に鑑みてなされたものであり、時間の経過に伴い変動した健康管理データを検知し、変動した健康管理データに基づいてアドバイスを的確に生成することを目的とする。換言すれば、被験者の生活リズムの変化を検知することを目的とする。
【課題を解決するための手段】
【０００５】
本発明は、上述の課題の少なくとも一部を解決するためになされたものであり、以下の形態又は適用例として実現することが可能である。
【０００６】
［適用例１］
本適用例にかかる行動変容解析システムは、被験者の活動情報を取得する活動情報取得部と、所定期間分の前記活動情報を解析した解析情報を生成する解析情報生成部と、少なくとも１つの前記所定期間を含む第１の期間における前記活動情報を解析して生成された第１解析情報と、少なくとも前記第１の期間とは異なる前記所定期間を含む第２の期間における前記活動情報を解析して生成された第２解析情報と、に基づいて、前記被験者の行動変容を示す行動変容情報を生成する行動変容情報生成部と、を備えることを特徴とする。
【０００７】
このような構成によれば、第１の期間における活動情報を解析して生成された第１解析情報と、少なくとも第１の期間とは異なる第２の期間における活動情報を解析して生成された第２解析情報と、に基づいて、被験者の行動変容を示す行動変容情報を生成するため、時間の経過に伴う行動変容情報を生成できる。
【０００８】
［適用例２］
上記適用例にかかる行動変容解析システムにおいて、前記解析情報は、前記所定期間における、歩数、運動量、運動時間および消費カロリーのうち少なくとも１つを含む活動量を１週間における曜日、または、１日における時間帯の少なくともいずれかに応じて集計した指標であることが好ましい。
【０００９】
このような構成によれば、歩数、運動量、運動時間および消費カロリーのうち少なくとも１つを含む活動量を、１週間における曜日、または、１日における時間帯に応じて変動した行動変容情報を生成できる。
【００１０】
［適用例３］
上記適用例にかかる行動変容解析システムにおいて、前記解析情報は、前記指標に基づいて推測された前記被験者の行動パターンを含むことが好ましい。
【００１１】
このような構成によれば、時間の経過に伴い変動した被験者の行動パターンに関する行動変容情報を生成できる。
【００１２】
［適用例４］
上記適用例にかかる行動変容解析システムにおいて、前記行動変容情報は、前記第１解析情報と、前記第２解析情報と、の差異を示す差異情報を含むことが好ましい。
【００１３】
このような構成によれば、時間の経過に伴う解析情報の差異情報を行動変容情報から取得できる。
【００１４】
［適用例５］
上記適用例にかかる行動変容解析システムにおいて、前記差異情報は、前記第１解析情報および前記第２解析情報における、前記歩数、前記運動量、前記運動時間または前記消費カロリーの変化量を示すことが好ましい。
【００１５】
このような構成によれば、時間の経過に伴う、歩数、運動量、運動時間または消費カロリーの変化量を行動変容情報から取得できる。
【００１６】
［適用例６］
上記適用例にかかる行動変容解析システムにおいて、前記行動変容情報に基づいて、前記被験者の前記行動変容に関するテキスト情報や、前記被験者の前記行動変容を示すグラフを出力する出力部を備えることが好ましい。
【００１７】
このような構成によれば、行動変容情報に基づくテキスト情報やグラフを出力できる。
【００１８】
［適用例７］
上記適用例にかかる行動変容解析システムにおいて、前記行動変容情報に基づいて、前記被験者の前記行動変容を報知する報知部を備えることが好ましい。
【００１９】
このような構成によれば、被験者の行動変容を報知できる。
【００２０】
［適用例８］
上記適用例にかかる行動変容解析システムにおいて、前記行動変容情報に基づいて、コメント情報を生成するコメント生成部を備えることが好ましい。
【００２１】
このような構成によれば、行動変容情報に基づくコメント情報を生成できる。
【００２２】
［適用例９］
上記適用例にかかる行動変容解析システムにおいて、前記コメント生成部は、前記被験者の前記行動変容が生じた要因を前記行動変容情報に基づいて推定し、推定結果に基づいて前記コメント情報を生成することが好ましい。
【００２３】
このような構成によれば、被験者の行動変容が生じた要因を行動変容情報に基づいて推定するため、推定結果に基づいたコメント情報を生成できる。
【００２４】
［適用例１０］
上記適用例にかかる行動変容解析システムにおいて、前記被験者の生体情報を取得する生体情報取得部を備え、前記解析情報生成部は、前記生体情報を解析することにより前記解析情報を生成することが好ましい。
【００２５】
このような構成によれば、生体情報を解析することにより解析情報を生成できる。
【００２６】
［適用例１１］
上記適用例にかかる行動変容解析システムにおいて、前記解析情報生成部は、前記活動情報に基づいて前記被験者の移動時におけるピッチを算出し、前記生体情報に基づいて前記被験者の心拍数を算出し、前記ピッチおよび前記心拍数に基づいて前記被験者の活動時間の累計を示す前記解析情報を生成しても良い。
【００２７】
［適用例１２］
本適用例にかかる行動変容解析方法は、被験者の活動情報を取得し、所定期間分の前記活動情報を解析した解析情報を生成し、少なくとも１つの前記所定期間を含む第１の期間における前記活動情報を解析して生成された第１解析情報と、少なくとも前記第１の期間とは異なる前記所定期間を含む第２の期間における前記活動情報を解析して生成された第２解析情報と、に基づいて、前記被験者の行動変容を示す行動変容情報を生成することを特徴とする。
【００２８】
このような方法によれば、第１の期間における活動情報を解析して生成された第１解析情報と、少なくとも第１の期間とは異なる第２の期間における活動情報を解析して生成された第２解析情報と、に基づいて、被験者の行動変容を示す行動変容情報を生成するため、時間の経過に伴う行動変容情報を生成できる。
【００２９】
［適用例１３］
本適用例にかかる行動変容解析プログラムは、被験者の活動情報を取得する機能と、所定期間分の前記活動情報を所定期間に応じて解析した解析情報を生成する機能と、少なくとも１つの前記所定期間を含む第１の期間における前記活動情報を解析して生成された第１解析情報と、少なくとも前記第１の期間とは異なる前記所定期間を含む第２の期間における前記活動情報を解析して生成された第２解析情報と、に基づいて、前記被験者の行動変容を示す行動変容情報を生成する機能と、をコンピューターに実行させることを特徴とする。
【００３０】
このような構成によれば、第１の期間における活動情報を解析して生成された第１解析情報と、少なくとも第１の期間とは異なる第２の期間における
活動情報を解析して生成された第２解析情報と、に基づいて、被験者の行動変容を示す行動変容情報を生成するため、時間の経過に伴う行動変容情報を生成できる。
【図面の簡単な説明】
【００３１】
【図１】実施形態に係る行動変容解析システムの概要を表す説明図。
【図２】行動変容解析システムの概略構成を表すブロック図。
【図３】サーバーのデータベーステーブルの関連を示す実体関連図。
【図４】歩行時間を曜日毎に分類して１日当たりの歩行時間として正規化した図。
【図５】歩行時間を時間帯別に分類して時間当たりに正規化した図。
【図６】時間帯別の安静時心拍数の第１指標の一例を示す図。
【図７】歩行時のピッチと、心拍数と、の２次元データの出現度数を集計した図。
【図８】変形例１を説明するブロック図。
【図９】時間帯別歩行時間を基本パターンに類型化した図。
【図１０】変形例２を説明するブロック図。
【図１１】平日と土日に分割された類型化パターンの一例を示す図。
【図１２】変形例３に係わる端末装置の概要を表す説明図。
【発明を実施するための形態】
【００３２】
以下、本発明の実施形態について図面を参照して説明する。
【００３３】
（実施形態）
本実施形態の概要について図１を用いて説明する。図１は、行動変容解析システム１の概要を表す説明図である。
行動変容解析システム１は、被験者Ｐの運動データを検出し、検出した運動データに基づいて、被験者Ｐの行動パターンにおける変容を解析し、解析した結果をコメントとして提供するシステムである。
【００３４】
行動変容解析システム１は、被験者Ｐに装着される端末装置２、サーバールームなどに設置されるサーバー４、および、被験者Ｐを指導するメンターＭや、家族や第三者などの関係者により利用される外部装置８などから構成されている。
端末装置２は、被験者Ｐの手首ＷＲに装着される腕時計型の端末装置であり、被験者Ｐの運動データを検出する検出部２０を内蔵し、被験者Ｐへのコメント文言を表示する表示部２１が手首ＷＲ側の対面に露出して配置されている。
【００３５】
サーバー４は、データベースエンジンなどで構成される１台または複数台のサーバーであり、蓄積したデータの提供サービスのみに限らず後述する各種機能を実現する。サーバー４は、ネットワーク７８に接続されており、サーバー４と端末装置２とは、通信３により相互に各種データを送受信可能に接続されている。
外部装置８は、メンターＭにより利用される一般的なタブレット端末またはＰＣ（Personal Computer）などであり、コメント文言を編集可能な表示部９１および操作部９３などを備えている。外部装置８とサーバー４とは、通信５により相互に各種データを送受信可能に接続されている。本実施形態では、外部装置８は、被験者Ｐ用のコメント情報を生成すべく、メンターＭにより操作される態様を想定する。
【００３６】
（行動変容解析システムの構成）
図２は、行動変容解析システム１の概略構成を表すブロック図である。
【００３７】
（端末装置の構成）
端末装置２は、検出部２０、表示部２１、操作部２３、通信部２５、および制御部２７などから構成される。
【００３８】
検出部２０は、好適例として、脈波センサー、加速度センサー、ジャイロセンサー、およびＧＰＳ（Global Positioning System）センサー（いずれも図示せず）を含んで構成されたセンサーユニットである。但し、この構成に限定するものではなく、端末装置２を装着する被験者Ｐの姿勢情報、位置情報、環境情報および運動状態情報を収集可能なセンサーであれば良い。
脈波センサーは、ＬＥＤ（Light Emitting Diode）などの発光素子およびフォトダイオードなどの受光素子を有し、発光素子により照射された光が手首ＷＲの血管で反射され、反射された光を集光し受光素子で受光する。この際、脈波センサーは、血管の拡張時と収縮時とで光の反射率が異なる現象を利用して、受光量の変動情報から被験者の脈波を検出する。検出された脈波のデータに基づいて、制御部２７により脈拍数（心拍数）、脈拍数から導出される消費カロリー、運動時間、運動強度などの運動データが算出される。即ち、運動データには、被験者の活動情報および生体情報を含んでいる。
【００３９】
加速度センサーは、１軸方向または２軸以上の軸方向（例えば、Ｘ、Ｙ、Ｚ軸の３軸方向）に取り付けられた加速度センサーであり、各軸の加速度変化を単位時間ごとに計測する。
ジャイロセンサーは、加速度センサーにおける各Ｘ、Ｙ、Ｚ軸を中心軸として角速度を単位時間ごとに計測する。加速度センサーおよびジャイロセンサーにより、検出された加速度変化データおよび角速度データを用いて、その変化量を積算し変化量に応じた運動強度および運動量を算出する。このようにして得られた運動強度や運動量より、運動時間や運動日数等を算出する。
ＧＰＳセンサーは、ＧＰＳ受信機能および位置情報演算回路を備えており、単位時間ごとに位置情報（緯度、経度、高度）データを計測する。単位時間毎の位置情報から、移動距離や移動速度を算出し、他のセンサー情報とも組み合わせて被験者Ｐの運動量を算出する。
また、更に、温度センサーや気圧センサー等の環境センサーを備え、端末装置２の周囲の気温や気圧などの環境情報を収集しても良い。
【００４０】
また、検出部２０は、端末装置２に内蔵することに限定するものではなく、体重測定器、身長測定器、スポーツジム等に設置されるランニングマシンやエアロバイクなどの他の機器と通信する事で、他の機器が計測した身体情報などを含む各種情報を運動データとして取得する構成であっても良い。この場合は、他の機器から端末装置２へ計測データを送信し、端末装置からサーバー４へ計測データを送信するように構成しても良いし、他の機器からサーバー４へ直接計測データを送信するように構成しても良い。
尚、検出部２０は、活動情報取得部および生体情報取得部に相当する。
【００４１】
表示部２１は、文字やアイコンの表示が可能な表示装置であり、例えば、柔軟に変形可能なフレキシブルタイプのドットマトリックス型ＥＰＤ（Electrophoretic Display）などである。制御部２７から出力される表示信号に基づいて、コメント文言等の情報を表示する。
【００４２】
操作部２３は、タッチセンサーやタッチパネル等を有して構成される入力装置であり、表示部２１の表面に配設され、静電容量方式または抵抗膜方式などの方式でタッチされた部位を検出し、検出信号を制御部２７へ出力する。
【００４３】
通信部２５は、好適例として、近距離無線装置であり、サーバー４の通信部７９と共通の通信プロトコルを有し、通信３を介してサーバー４と各種データを送受信可能に接続する。尚、通信部２５は、有線の通信装置であっても良く、その場合は通信３がケーブル等を介して接続される。また、通信部２５は、外部装置８の通信部９５と共通の通信プロトコルを有し、端末装置２と外部装置８との間で各種データを送受信可能な構成としても良い。本実施形態では、検出部２０で検出された被験者Ｐの運動データは、通信部２５の通信を介してサーバー４へ送信される。
【００４４】
制御部２７は、ＣＰＵ（Central Processing Unit）やＤＳＰ（Digital Signal Processor）等のプロセッサー、ＲＯＭ（Read Only Memory）やフラッシュＲＯＭ、ＲＡＭ（Random Access Memory）等の記憶装置を有して構成され、記憶装置に記憶される各種プログラムに従って端末装置２の各部を統括的に制御する制御装置および演算装置である。
【００４５】
（サーバーの構成）
サーバー４は、被験者情報記憶部３０、活動情報管理部４０、およびコメント生成部６０などのデータベースサーバーと、通信部７９などから構成される。また、これらのサーバー４や通信部７９は、ネットワーク７８によって接続されている。
【００４６】
通信部７９は、ＬＡＮ（Local Area Network）通信装置、無線ＬＡＮ通信装置、および近距離無線通信装置などの複数の通信装置で構成され、サーバー４内の各サーバー間、端末装置２、および外部装置８と共通の通信プロトコルを有し、それぞれの機器間において各種データを通信可能に接続する。
【００４７】
被験者情報記憶部３０は、データベースのデータ格納領域を含む記憶部３３を有する。また、記憶部３３は、ＲＯＭやフラッシュＲＯＭ、ＲＡＭ、ＨＤＤ（Hard Disk Drive）、ＳＳＤ（Solid State Drive）等の記憶装置によって構成され、テーブル形式で管理される被験者情報ＤＢ３５が配置されている。被験者情報ＤＢ３５には、被験者Ｐの固有情報が格納されている。
【００４８】
本実施形態では、被験者情報ＤＢ３５は、被験者ＰにＵＩＤ（ユーザーＩＤ）を割り当てることにより識別する。被験者情報ＤＢ３５には、被験者Ｐの固有情報として、ＵＩＤ、氏名、性別、生年月日、運動目的、仕事情報、疾患情報などの情報が格納されている。尚、固有情報は一例であり、その他にも運動プログラム開始時の身長や体重、住所や地域の情報などが含まれていても良い。
尚、被験者情報ＤＢ３５で管理するテーブルの構成例および他のテーブルとの連携については、図３を用いて後述する。
【００４９】
活動情報管理部４０は、ＣＰＵおよびリレーショナルデータベース等のデータベースエンジンを含む処理部４１、およびデータベースのデータ格納領域を含む記憶部４７などで構成される。データベースエンジンは、データベースを管理する基本的な機能を有しており、ＣＰＵの制御によりデータベースへのデータの登録、更新、削除、検索等の各処理およびトランザクション処理が実行される。
【００５０】
処理部４１は、運動データ受信部４３、解析部４５および行動変容情報生成部４６の機能部を含み構成される。これらの機能部の機能は、データベースエンジンの各処理を制御する手続きや演算処理などが記述された行動変容解析プログラム（図示は省略）がＣＰＵ（コンピューター）によって実行されることによって実現される。尚、これらの機能部は一例であり、必ずしも必須の構成要素ではなく、また他の機能部を含めても良い。
尚、行動変容解析プログラムは、被験者Ｐの活動情報を取得し、活動情報を所定期間に応じて解析した分析情報を生成し、期間が異なる分析情報に基づいて、被験者Ｐの行動変容を示す行動変容情報を生成する行動変容解析方法に基づいて作成されている。
【００５１】
運動データ受信部４３は、通信部７９を介して端末装置２から運動データおよび運動データに関連するデータを受信し、運動データＤＢ４９へ格納する。
【００５２】
解析部４５は、被験者情報記憶部３０から被験者Ｐの固有情報と、運動データ受信部４３から所定期間分の運動データと、を取得して解析し、解析した結果を分析情報（解析情報）として、分析情報ＤＢ５１へ格納する。分析情報には、指導プログラム経過日数、体力レベル、消費カロリー達成率、運動日数、運動時間、脈拍数帯域毎のゾーン滞在時間、運動強度、消費カロリー増減、機器装着時間、曜日別や時間帯別の活動量（曜日別活動量、時間帯別活動量）、曜日別や時間帯別の安静時心拍数、歩行ピッチ心拍数分布等が含まれている。
また、分析情報には、他の機器により収集された身体情報などから算出される体重変化傾向およびＢＭＩ（Body  Mass  Index）変化傾向などが含まれていても良い。尚、解析部４５は、解析情報生成部に相当する。
また、分析情報は、運動データを所定の時間経過に応じて解析したものであっても良い。例えば、所定期間分の各種運動データを積算、平均、またはそれぞれの算術式が適用されて算出されても良い。また、分析情報には環境情報や環境情報が加味された情報が含まれていてもよい。
【００５３】
尚、指導プログラム経過日数は、被験者Ｐが運動プログラムを開始してから経過した日数である。
また、体力レベルは、被験者Ｐの心肺能力、筋力、運動能力などを総合して５段階で表した指標であり、運動強度の各段階の体力レベルを表す脈拍数の基準値と、被験者Ｐから取得して運動データとを比較して算出される。尚、このような体力レベルの算出は一例であり、被験者Ｐの体力レベルの程度を表した指標を定義して算出することができれば、どのような算出方法が利用されても良い。
【００５４】
また、消費カロリー達成率は、所定期間の運動データにおいて、目標としている消費カロリーを１００％として、達成した割合が算出された数値（％）である。
また、運動日数は、所定期間の運動データにおいて、１日当たりに所定の時間（例えば２時間）以上運動した日数である。
また、運動時間は、所定期間の運動データにおいて運動されていた時間が積算された時間である。
【００５５】
また、脈拍数帯域毎のゾーン滞在時間は、運動負荷によって変化する脈拍数が所定の帯域毎に積算された時間である。例えば、所定の帯域には、脂肪燃焼ゾーンを示す脈拍数の帯域、筋力アップゾーンを示す脈拍数の帯域などがある。
また、運動強度は、所定期間の運動データにおける運動強度の平均値であり、単位は例えば、メッツである。
また、消費カロリー増減は、数回前の所定期間における運動データの情報を取得して、数回前の所定期間の消費カロリーに対する増減の結果を、「増加」または「減少」で表した情報である。
【００５６】
また、体重変化傾向およびＢＭＩ変化傾向は、数回前の所定期間の運動データの情報を取得して、数回前の所定期間の体重およびＢＭＩに対する増減の結果を、「増加」または「減少」で表した情報である。
また、機器装着時間は、所定期間において被験者Ｐにより端末装置２が装着されていた時間である。
また、曜日別活動量は、過去の一定期間に計測された歩数、運動時間、消費カロリー等の活動量を、１週間の曜日別に集計した指標である。
また、時間帯別活動量は、過去の一定期間に計測された歩数、運動時間、消費カロリー等の活動量を、１日の時間帯別に集計した指標である。
【００５７】
また、曜日別安静時心拍数は、過去の一定期間に計測された安静時の心拍数を、曜日別に集計した指標である。
また、時間帯別安静時心拍数は、過去の一定期間に計測された安静時の心拍数を、１日の時間帯別に集計した指標である。
また、歩行ピッチ心拍数分布は、過去の一定期間に計測された歩行時のピッチ（歩／分）と、心拍数の度数と、を集計し、２次元ヒストグラム化した指標である。
【００５８】
（曜日別および時間帯別の詳細分析）
ここで、時間軸として、曜日別および時間帯別を採用した場合の詳細な分析情報、および、歩行ピッチ心拍数分布の分析情報について説明する。
尚、本実施形態では、活動量として被験者Ｐの歩行時間を採用しているが、歩数、運動時間、消費カロリー等の計測値を用いて、曜日別歩数、時間帯別歩数や曜日別運動時間、時間帯別運動時間を算出する態様も想定できる。
【００５９】
（曜日別の歩行時間の分析）
図４は、解析部４５が、被験者ＰであるユーザーＡ〜ユーザーＦに関して、過去１カ月程度の期間の歩行時間を曜日毎に分類し、分類した結果を１日当たりの歩行時間として正規化した図である。ここで、ユーザーＡ、ユーザーＢおよびユーザーＣは、歩行時間が少ない場合を想定し、ユーザーＤ、ユーザーＥおよびユーザーＦは、歩行時間が多い場合を想定している。また、解析部４５は、歩行時間を、１分以上５分未満、５分以上３０分未満および３０分以上の３水準に分類している。
解析部４５は、この分類結果から、歩行時間の少ないユーザーにおいては、各曜日とも歩行時間が少なく、１分以上５分未満の歩行が多いと分析する。また、歩行時間の多いユーザーにおいては、５分以上の歩行が多く、例えば、ユーザーＥは平日により多く活動していると分析する。同様に、ユーザーＦは土日により多く活動していると分析する。
【００６０】
（時間帯別の歩行時間の分析）
図５は、解析部４５が、被験者Ｐの過去の一定期間に計測された歩行時間を１日の時間帯別に分類し、分類した結果を時間当たりに正規化した図である。
ここで、図５は、時間帯別歩行時間を平日と土日に分けて分類している。平日と土日は、一般的に生活習慣が異なるため、このように分離して集計することは有効である。無論、土日が休日でない場合は、被験者Ｐの休日を個別に設定して集計することが好ましい。
【００６１】
また、図５において、上段が歩行時間の少ない場合であり、下段が歩行時間の多い場合を示している。解析部４５は、歩行時間を、１分以上５分未満、５分以上３０分未満および３０分以上の３水準に分類している。
解析部４５は、この分類結果から、歩行時間の少ないユーザーにおいては、１分以上５分未満の歩行が支配的であり、全体として歩行時間が少なく、時間帯ごとのメリハリも乏しいと分析する。更に、朝夕に歩行時間の増加がないことから、解析部４５は、通勤方法として自家用車を利用していると分析する。
【００６２】
また、歩行時間の多いユーザーにおいては、５分以上の歩行が多く、平日は朝と夕方から夜にかけての通勤時間帯の歩行時間が長いことから、解析部４５は、この被験者Ｐは通勤に公的交通機関を利用し、通勤時に積極的に歩行していると分析する。更に、解析部４５は、朝夕の歩行時間のピークから普段の勤務時間も推定できる。また、土日は午前６時前後の歩行時間が多いことから、解析部４５は、休日の朝に運動する習慣があると分析する。
【００６３】
（時間帯別の安静時心拍数の分析）
解析部４５は、被験者Ｐの過去の一定期間に計測された安静時心拍数の出現度数をその値毎に計数し、１日の時間帯別にその割合を示す第１指標や、１日の時間帯別に集計された安静時心拍数の総平均を示す第２指標の何れか、または、その両方を分析できる。
図６は、時間帯別の安静時心拍数の第１指標の一例を示す図であり、上段のユーザーＡおよびユーザーＢは習慣的な飲酒が無いと思われるユーザーの例を示し、下段のユーザーＣおよびユーザーＤは習慣的な飲酒が疑われるユーザーの例である。
【００６４】
周知のように、安静時心拍数は、食事や飲酒、ストレスや緊張等によって上昇することが知られている。解析部４５は、ユーザーＣおよびユーザーＤが、ユーザーＡおよびユーザーＢに比べて、夕刻から未明にかけて安静時心拍数の上昇が見られることから、ユーザーＣおよびユーザーＤは習慣的に飲酒していると分析する。
【００６５】
（歩行ピッチ心拍数分布の分析）
図７は、被験者Ｐの過去の一定期間に計測された移動時、例えば、歩行時のピッチ（単位時間あたりの歩数）と、心拍数と、の２次元データの出現度数を集計した図である。これらは３次元で示したグラフであり、高さ方向の軸は歩行時間（活動時間）の累計を示す累計歩行時間を示し、水平面の一方の軸は歩行ピッチ（歩／分）を示し、他方の軸は心拍数を示している。
図７は、ユーザーＡ〜ユーザーＤの歩行条件を表している。例えば、ユーザーＡは、ピークが１つで非常にきれいな山になっており、解析部４５は、常に安定した歩行を行っていると分析する。また、ユーザーＢは、ほぼ同じ歩行ピッチで２つの脈拍ピークがあり、解析部４５は、荷物の量などが関係していると分析する。
【００６６】
また、ユーザーＣは、一方のピークの他に、歩行ピッチの高い山が存在するため、解析部４５は、習慣的なジョギングを行っていると分析する。また、ユーザーＤは、ピークが複数あるため、解析部４５は、普段の歩行経路に坂道や階段があると分析する。
また、解析部４５は、この指標を過去の長期的な計測データで算出したものと直近の１週間などの短期的な計測データで算出したものとを比較することで、登山やハイキングなど普段と異なる歩行を行ったと分析できる。
尚、上述した解析部４５の一部の機能は、端末装置２の制御部２７で実行する態様も想定できる。例えば、指導プログラム経過日数、体力レベル、消費カロリー達成率、運動日数、運動時間、脈拍数帯域毎のゾーン滞在時間、運動強度、消費カロリー増減、機器装着時間、安静時心拍数および歩行ピッチ等に関する処理を制御部２７で実行しても良い。
【００６７】
図２に戻り、行動変容情報生成部４６は、解析部４５が運動データに基づいて分析した第１分析情報と、分析情報ＤＢ５１に格納されている第２分析情報と、に基づいて、被験者Ｐの行動パターンの変化（行動変容）を分析し、分析した結果に基づいて被験者Ｐの行動変容を示す行動変容情報を生成する。生成した行動変容情報は分析情報ＤＢ５１に格納される。
本実施形態では、行動変容情報生成部４６は、所定期間、例えば、直近の１週間のような第１の期間における第１分析情報（第１解析情報）と、第１の期間よりも長く、過去１か月のような第２の期間における第２分析情報（第２解析情報）と、の差異を解析することにより行動変容情報を生成する。この場合、２つの期間は、時間軸上で重畳する領域があっても良く、また、重畳することなく離間していても良い。
【００６８】
尚、本実施形態では、第１分析情報および第２分析情報の差異は、運動量、運動時間、歩数および消費カロリーの少なくとも１つに関して時間経過に伴う変化量（差異情報）を示す。即ち、行動変容情報は、運動量、運動時間、歩数および消費カロリーの少なくとも１つに関して、時間経過に伴う変動傾向を示す。
記憶部４７は、ＲＯＭやフラッシュＲＯＭ、ＲＡＭ、ＨＤＤ、ＳＳＤ等の記憶装置によって構成され、テーブル形式で管理される運動データＤＢ４９および分析情報ＤＢ５１が配置されている。運動データＤＢ４９には、端末装置２から取得した運動データが被験者Ｐ毎に格納されている。分析情報ＤＢ５１には、運動データＤＢ４９に格納されている運動データに基づいて算出された分析情報や行動変容情報が運動データと対応付けられて格納されている。
【００６９】
コメント生成部６０は、分析情報ＤＢ５１に格納された分析情報や行動変容情報に基づいて被験者Ｐへ提供するコメント文言やコメント文言の候補（コメント情報）を生成する。生成したコメント情報は、外部装置８へ送信される。
例えば、行動変容情報が朝夕の時間帯別の歩行時間における増加を示す場合、コメント生成部６０は、朝夕の歩行時間が増加したことに加えて、被験者Ｐの固有情報や行動変容情報に基づいて、行動変容が生じた要因を推定し、推定結果に基づいてアドバイスを生成しても良い。例えば、通勤方法を自家用車から公的交通機関に変更したと推定する情報のように、行動パターンの変化に基づく推測をコメント文言に含んでも良い。また、コメント生成部６０は、被験者Ｐの行動変容に合わせ、被験者Ｐに対して好適な運動メニューをコメント文言に含んでも良い。
【００７０】
同様に、行動変容情報が時間帯別の安静時心拍数における安定傾向を示す場合、コメント生成部６０は、例えば、飲酒習慣のような生活習慣が改善したことをコメント文言に含んでも良い。また、飲酒の抑制を推奨するように、生活習慣の改善を促すコメント文言を含んでも良い。
また、時間帯別の歩行時間の分析および歩行ピッチ心拍数分布の分析のように、行動変容情報が複数の項目における変化を示している場合、コメント生成部６０は、複数の項目から推測できる情報をコメント文言に含んでも良い。
【００７１】
（サーバー／データベースの構成）
図３は、サーバー４のデータベーステーブルの関連を示す実体関連図である。尚、以降の説明では、各データベースをリレーショナルデータベースで構成したものとして説明している。
被験者情報ＤＢ３５の主キー３５１は、ＵＩＤである。レコード３５２は、固有情報を格納する領域であり、氏名、性別、生年月日、運動目的、仕事情報、疾患情報の各データが格納されている。
【００７２】
分析情報ＤＢ５１の主キー５１１は、複合型でＷＩＤとＵＩＤで構成されている。レコード５１２は、分析情報が格納される領域であり、指導プログラム経過日数、体力レベル、消費カロリー達成率、運動日数、運動時間、運動強度、消費カロリー増減、体重増減、機器装着時間、曜日別活動量、時間帯別活動量、時間帯別安静時脈拍のデータが格納されている。
検索情報ＤＢ７３の主キー７３１は、複合型でＡＩＤ、ＷＩＤ、ＵＩＤで構成され、レコード７３３には、レコード３５２のレプリカＸ１が設定され、レコード７３５には、レコード５１２のレプリカＸ２が設定されている。
【００７３】
被験者情報ＤＢ３５および分析情報ＤＢ５１は、所定の関連Ｒ１を有していることを示している。また、分析情報ＤＢ５１および検索情報ＤＢ７３は、所定の関連Ｒ３を有していることを示している。
【００７４】
（外部装置の構成）
図２に戻り、外部装置８を説明する。
外部装置８は、表示部９１、操作部９３、通信部９５、報知部９６、記憶部９７、制御部８０などから構成される。
【００７５】
表示部９１は、一般的なＬＣＤ（Liquid Crystal Display）等の表示パネルを有して構成され、制御部８０から入力される表示信号に基づく各種表示を行う表示装置である。表示部９１は、活動情報管理部４０が生成した行動変容情報が示すテキスト情報や、グラフ画像を表示する。尚、表示部９１は出力部に相当する。
操作部９３は、ボタンスイッチやタッチパネル等を有して構成される入力装置であり、押下されたボタンやタッチパネルの信号を制御部８０へ出力する。
【００７６】
通信部９５は、好適例として無線ＬＡＮ通信装置であり、サーバー４の通信部７９と共通の通信プロトコルを有し、通信５を介してサーバー４と各種データを送受信可能に接続する。尚、通信部９５は、有線の通信装置であっても良く、その場合は通信５がケーブル等を介して接続される。
また、通信部９５は、端末装置２の通信部２５と共通の通信プロトコルを有し、外部装置８と端末装置２との間で各種データを送受信可能な構成としても良い。この構成によれば、外部装置８からサーバー４を介さずに端末装置２へ直接決定したコメント文言を送信することができる。
また、報知部９６は、行動変容情報に基づく行動変容を報知する。
【００７７】
記憶部９７は、ＲＯＭやフラッシュＲＯＭ、ＲＡＭ、ＨＤＤ、ＳＳＤ等の記憶装置によって構成され、制御部８０の各機能部を実現するための各種プログラム、データ等を記憶している。
【００７８】
制御部８０は、ＣＰＵやＤＳＰ等のプロセッサー、ＲＯＭやフラッシュＲＯＭ、ＲＡＭ等の記憶装置を有して構成され、記憶装置に記憶される各種プログラムに従って外部装置８の各部を統括的に制御する制御装置および演算装置である。
制御部８０は、被験者Ｐの固有情報、運動データ、分析情報などの情報を収集する機能、収集した情報に基づいて、サーバー４から提供されるコメント情報を取得する機能を有する。更に、制御部８０は、メンターＭからの指示に基づいて、コメント情報を編集する機能や、編集した機能を被験者Ｐへ提供する機能を有する。
また、制御部８０は、行動変容情報に基づいて、行動変容が生じたことを報知部９６からメンターＭに報知する機能を有する。
【００７９】
以上述べたように、本実施形態に係わる行動変容解析システム１においては、以下の効果を得ることができる。
（１）行動変容解析システム１は、被験者Ｐの時間経過に伴う行動パターンの変化を行動変容情報として生成し、生成した行動変容情報に基づいてコメントを生成し、被験者Ｐに通知するため、被験者Ｐの活動変化を捉えてコメントを生成できることから、被験者Ｐの活動変化に基づいて適切にコメントできる。
（２）コメント生成部６０は、行動変容情報が示す変化に加えて、被験者Ｐの固有情報や行動変容情報から推測される行動パターンの変化要因をコメントに含めることで、被験者Ｐの生活習慣に合致したコメントを生成できる。
【００８０】
なお、本発明は上述した実施形態に限定されず、上述した実施形態に種々の変更や改良などを加えることが可能である。変形例を以下に述べる。
【００８１】
（変形例１）
曜日別活動量、時間帯別活動量、曜日別安静時心拍、時間帯別安静時心拍および歩行ピッチ心拍分布のような分析情報は、何れも多次元指標であり、コメント検索キーとして利用するために、次元数を削減する態様も想定できる。以下に、分析情報として時間帯別歩行時間を想定した場合について説明する。
図８は、変形例１を説明するブロック図である。変形例１では、予め、数百人から数千人以上のユーザーの計測データから時間帯別歩行時間を算出し、それらを１日の総歩行時間等で正規化を行った後、Ｋ平均法等の周知のクラスター分析手法を用いて、少数のパターンに類型化する。平日および土日の時間帯別歩行時間を各々６つの基本パターンに類型化した例を図９に示す。
図９は、例えば、平日パターン１〜平日パターン６は、平日における各時間帯の歩行時間を正規化して分類した例を示している。また、休日パターン１〜休日パターン６は、土曜日および日曜日等の休日における各時間帯の歩行時間を正規化して分類した例を示している。
【００８２】
（変形例２）
また、図１０は、類型化の手法として、パターンマッチングを採用した場合を示すブロック図である。
変形例２では、コメント検索のための検索キーは、算出された時間帯別歩行時間に最も近いパターンを、類型化パターンの中からパターンマッチングで探し出し、その類型化パターンを示す番号とする。具体的には、あるユーザーＸの時間帯別歩行時間を変形例１と同様に正規化を行い、パターンマッチング処理により、類型化パターンとの二乗誤差を求めるなどして、誤差が最も小さいパターンの番号を出力する。
【００８３】
また、図１１のテーブルに示すように、平日と土日に分割された類型化パターンである場合、平日と土日の組み合わせに１つのコメント検索用キー番号を割り当てても良い。即ち、平日のパターンが「２」であり、休日のパターンが「４」である場合、コメント検索用キー番号として「１９」が出力される。
また、時間帯別の安静時心拍数の第１指標（安静時心拍数の出現割合）を用いて飲酒習慣を判定しても良い。即ち、上述したようなクラスタリングにより飲酒習慣が疑われるパターンと、そうでないパターンと、に類型化し、飲酒習慣の有無や程度に合わせたコメント検索キー番号を定義して、判定しても良い。また、時間帯別安静時心拍数の第２指標（安静時心拍数の総平均）を用いて、例えば、指標のピークが午後７〜午前３時にある場合、飲酒習慣が有ると判定し、そうでない場合、飲酒習慣はないと判定しても良い。
【００８４】
（変形例３）
図１２は、変形例３に係わる端末装置２の概要を表す説明図である。
上述の実施形態では、端末装置２を被験者Ｐの運動データを検出する検出部２０とコメント情報を表示する表示部２１とを備えた腕時計型の端末装置として説明していたが、その構成に限らない。端末装置２は、検出部２０を備えたセンサーバンド２ａと、表示部２１を備えた情報端末２ｂを備える複数装置の構成であっても良い。
【００８５】
端末装置２は、被験者Ｐの手首ＷＲに装着されるセンサーバンド２ａと、同じ被験者Ｐにより利用される情報端末２ｂ等から構成され、それぞれは通信２ｃにより各種データ通信可能に接続されている。
センサーバンド２ａは、検出部２０、通信部２５ａ、制御部２７ａなどから構成される。検出部２０は、被験者Ｐの運動データを検出する。通信部２５ａは、好適例として近距離無線通信装置であり、通信２ｃを介して情報端末２ｂの通信部２５ｂと通信を確立し、運動データの送信を含む各種データの送受信を行う。制御部２７ａはＣＰＵやＤＳＰでありＲＯＭやＲＡＭ等の記憶装置を有している。
センサーバンド２ａは、被験者Ｐから運動データを取得するための最小限の要素で構成されているため、小型化、軽量化、省電力化に優れており、被験者Ｐの運動データを長時間に亘り検出することができる。
【００８６】
情報端末２ｂは、一般的なスマートフォンやタブレット端末、ＰＣなどであり、表示部２１、操作部２３、通信部２５ｂ、制御部２７ｂなどから構成されている。
表示部２１は、一般的な高解像度カラーＬＣＤ等の表示パネルを有して構成され、サーバー４から送信されるコメント情報が表示される表示装置である。
操作部２３は、ボタンスイッチやタッチパネル等を有して構成される入力装置である。
通信部２５ｂは、好適例として無線ＬＡＮ通信装置であり、通信２ｃを介してセンサーバンド２ａの通信部２５ａと通信を確立し、運動データの受信を含む各種データの送受信を行う。また、通信部２５ｂは、サーバー４の通信部７９と通信を確立し、通信３を介して運動データおよびコメント情報を含む各種データの送受信を行う。制御部２７ｂはＣＰＵやＤＳＰでありＲＯＭやＲＡＭ等の記憶装置を有している。
【００８７】
本変形例によれば、端末装置２は、センサーバンド２ａにより被験者Ｐの運動データを長時間に亘り検出することができ、情報端末２ｂにより被験者Ｐへのコメント情報を大きな画面で精細に表示することができる。従って、被験者Ｐに対して使い勝手が良く、コメント情報をわかり易く視認させることができる端末装置２を提供することができる。
【００８８】
（変形例４）
上述の実施形態および変形例では、サーバー４を構成するデータベースエンジンは、リレーショナルデータベースを例に説明したが、このデータベースエンジンに限定するものではなく、オブジェクト指向データベースなどの他のデータベースエンジンや高級言語によりプログラミングされたプログラムを用いて管理されるものでもよい。
【００８９】
（変形例５）
また、サーバー４の解析結果をユーザーにフィードバックするだけの形態も想定できる。これにより、被験者Ｐの生活リズムの変化をサーバー４で自動的に検知し、ユーザーへ変化を知らせる通知を行うことで、被験者Ｐの気付かないような変化も的確に把握し、通知することができる。
（変形例６）
また、メンターでは無く、家族や友人など、許可された第３者が被験者の情報を閲覧可能な装置であることも想定できる。これにより、被験者の生活リズムの変化を、あらかじめ許可された人に通知できるので、遠距離の家族にも現在の被験者の状況を通知することができる。
【符号の説明】
【００９０】
１…行動変容解析システム、２…端末装置、２ａ…センサーバンド、２ｂ…情報端末、２ｃ…通信、３…通信、４…サーバー、５…通信、８…外部装置、２０…検出部、２１…表示部、２３…操作部、２５…通信部、２５ａ…通信部、２５ｂ…通信部、２７…制御部、２７ａ…制御部、２７ｂ…制御部、３０…被験者情報記憶部、３３…記憶部、３５…被験者情報ＤＢ、４０…活動情報管理部、４１…処理部、４３…運動データ受信部、４５…解析部、４６…行動変容情報生成部、４７…記憶部、４９…運動データＤＢ、５１…分析情報ＤＢ、６０…コメント生成部、７３…検索情報ＤＢ、７８…ネットワーク、７９…通信部、８０…制御部、９１…表示部、９３…操作部、９５…通信部、９６…報知部、９７…記憶部、３５１…主キー、３５２…レコード、５１１…主キー、５１２…レコード、７３１…主キー、７３３…レコード、７３５…レコード。
【図１】
2017097401.tif 000003
【図２】
2017097401.tif 000004
【図３】
2017097401.tif 000005
【図４】
2017097401.tif 000006
【図５】
2017097401.tif 000007
【図６】
2017097401.tif 000008
【図７】
2017097401.tif 000009
【図８】
2017097401.tif 000010
【図９】
2017097401.tif 000011
【図１０】
2017097401.tif 000012
【図１１】
2017097401.tif 000013
【図１２】
2017097401.tif 000014